(57)【要約】【課題】入力装置が有する電極の数よりも多くの静電容量スイッチに対するユーザの操作を判定することが可能な、入力装置、処理装置、および操作判定方法を提供する。【解決手段】離隔して配置される複数の電極を有するスイッチ部と、自己容量方式により複数の電極それぞれに対応する自己容量値を検出し、相互容量方式により複数の電極のうちの隣り合う一対の電極それぞれに対応する相互容量値を検出する検出部と、検出された自己容量値と相互容量値とに基づいて、スイッチ部に対するユーザの操作を判定する処理を行う処理部とを備える、入力装置が提供される。【選択図】図６
2017010375.tif 000002
【特許請求の範囲】
【請求項１】
離隔して配置される複数の電極を有するスイッチ部と、
自己容量方式により複数の前記電極それぞれに対応する自己容量値を検出し、相互容量方式により複数の前記電極のうちの隣り合う一対の電極それぞれに対応する相互容量値を検出する検出部と、
検出された前記自己容量値と前記相互容量値とに基づいて、前記スイッチ部に対するユーザの操作を判定する処理を行う処理部と、
を備えることを特徴とする、入力装置。
【請求項２】
前記処理部は、検出された前記自己容量値と前記相互容量値とのそれぞれに基づいて、ユーザの操作が行われた静電容量スイッチを判定することを特徴とする、請求項１に記載の入力装置。
【請求項３】
前記処理部は、前記自己容量値に対応する第１の静電容量スイッチと、前記相互容量値に対応する第２の静電容量スイッチとの一方または双方を、ユーザの操作が行われた静電容量スイッチとして判定することを特徴とする、請求項２に記載の入力装置。
【請求項４】
前記処理部は、
検出された前記自己容量値に対応する第１の静電容量スイッチの容量値と、検出された前記相互容量値に対応する第２の静電容量スイッチの容量値とを求め、
前記第１の静電容量スイッチの容量値、および前記第２の静電容量スイッチの容量値それぞれと、設定されている所定の閾値とを比較することによって、ユーザの操作が行われた静電容量スイッチを判定することを特徴とする、請求項２、または３に記載の入力装置。
【請求項５】
前記処理部は、
前記閾値よりも大きい前記第１の静電容量スイッチの容量値、または前記閾値以上である前記第１の静電容量スイッチの容量値に対応する静電容量スイッチを、ユーザの操作が行われた静電容量スイッチとして判定し、
前記閾値よりも大きい前記第２の静電容量スイッチの容量値、または前記閾値以上である前記第２の静電容量スイッチの容量値に対応する静電容量スイッチを、ユーザの操作が行われた静電容量スイッチとして判定することを特徴とする、請求項４に記載の入力装置。
【請求項６】
前記処理部は、さらに、前記スイッチ部に対するユーザの操作の判定結果に応じた処理を行うことを特徴とする、請求項１〜５のいずれか１項に記載の入力装置。
【請求項７】
前記検出部は、前記自己容量方式と前記相互容量方式とを切り替えて、前記自己容量値と前記相互容量値とをそれぞれ検出することを特徴とする、請求項１〜６のいずれか１項に記載の入力装置。
【請求項８】
前記処理部は、さらに、前記検出部における前記自己容量方式と前記相互容量方式との切り替えを制御する処理を行うことを特徴とする、請求項７に記載の入力装置。
【請求項９】
離隔して配置される複数の電極を有するスイッチ部と、自己容量方式による複数の前記電極それぞれに対応する自己容量値の検出、および相互容量方式による複数の前記電極のうちの隣り合う一対の電極それぞれに対応する相互容量値の検出を行う検出部とを備える入力装置における前記スイッチ部に対するユーザの操作を、判定する処理装置であって、
検出された前記自己容量値と前記相互容量値とに基づいて、前記スイッチ部に対するユーザの操作を判定する処理を行う処理部を備えることを特徴とする、処理装置。
【請求項１０】
離隔して配置される複数の電極を有するスイッチ部を備える入力装置におけるユーザの操作を、判定する操作判定方法であって、
自己容量方式により複数の前記電極それぞれに対応する自己容量値を検出し、相互容量方式により複数の前記電極のうちの隣り合う一対の電極それぞれに対応する相互容量値を検出するステップと、
検出された前記自己容量値と前記相互容量値とに基づいて、前記スイッチ部に対するユーザの操作を判定する処理を行うステップと、
を有することを特徴とする、操作判定方法。
【発明の詳細な説明】
【技術分野】
【０００１】
本発明は、入力装置、処理装置、および操作判定方法に関する。
【背景技術】
【０００２】
静電容量の変化を利用してユーザの操作を検出する静電容量方式を用いて、ユーザの操作を検出することが可能な入力装置に係る技術が開発されている。自己容量方式と相互容量方式との双方の方式によってユーザの操作を検出することが可能な入力装置に係る技術としては、例えば特許文献１に記載の技術が挙げられる。
【先行技術文献】
【特許文献】
【０００３】
【特許文献１】特開２０１５−４６３６３号公報
【発明の概要】
【発明が解決しようとする課題】
【０００４】
静電容量スイッチ（いわゆるタッチセンサ）として機能するタッチパネルなど、静電容量方式を用いてユーザの操作を検出することが可能な入力装置では、例えばコストの低減を図るためなどの理由により、電極数よりも多くの数の静電容量スイッチを実現することが求められている。
【０００５】
本発明は、上記問題に鑑みてなされたものであり、本発明の目的とするところは、入力装置が有する電極の数よりも多くの静電容量スイッチに対するユーザの操作を判定することが可能な、新規かつ改良された入力装置、処理装置、および操作判定方法を提供することにある。
【課題を解決するための手段】
【０００６】
上記目的を達成するために、本発明の第１の観点によれば、離隔して配置される複数の電極を有するスイッチ部と、自己容量方式により複数の上記電極それぞれに対応する自己容量値を検出し、相互容量方式により複数の上記電極のうちの隣り合う一対の電極それぞれに対応する相互容量値を検出する検出部と、検出された上記自己容量値と上記相互容量値とに基づいて、上記スイッチ部に対するユーザの操作を判定する処理を行う処理部と、を備える、入力装置が提供される。
【０００７】
かかる構成によって、入力装置の検出部において検出された自己容量値と相互容量値とのそれぞれに基づいて、入力装置のスイッチ部に対するユーザの操作を判定することが可能となる。よって、かかる構成によって、入力装置が有する電極の数よりも多くの静電容量スイッチに対するユーザの操作を判定することができる。
【０００８】
また、上記処理部は、検出された上記自己容量値と上記相互容量値とのそれぞれに基づいて、ユーザの操作が行われた静電容量スイッチを判定してもよい。
【０００９】
また、上記処理部は、上記自己容量値に対応する第１の静電容量スイッチと、上記相互容量値に対応する第２の静電容量スイッチとの一方または双方を、ユーザの操作が行われた静電容量スイッチとして判定してもよい。
【００１０】
また、上記処理部は、検出された上記自己容量値に対応する第１の静電容量スイッチの容量値と、検出された上記相互容量値に対応する第２の静電容量スイッチの容量値とを求め、上記第１の静電容量スイッチの容量値、および上記第２の静電容量スイッチの容量値それぞれと、設定されている所定の閾値とを比較することによって、ユーザの操作が行われた静電容量スイッチを判定してもよい。
【００１１】
また、上記処理部は、上記閾値よりも大きい上記第１の静電容量スイッチの容量値、または上記閾値以上である上記第１の静電容量スイッチの容量値に対応する静電容量スイッチを、ユーザの操作が行われた静電容量スイッチとして判定し、上記閾値よりも大きい上記第２の静電容量スイッチの容量値、または上記閾値以上である上記第２の静電容量スイッチの容量値に対応する静電容量スイッチを、ユーザの操作が行われた静電容量スイッチとして判定してもよい。
【００１２】
また、上記処理部は、さらに、上記スイッチ部に対するユーザの操作の判定結果に応じた処理を行ってもよい。
【００１３】
また、上記検出部は、上記自己容量方式と上記相互容量方式とを切り替えて、上記自己容量値と上記相互容量値とをそれぞれ検出してもよい。
【００１４】
また、上記処理部は、さらに、上記検出部における上記自己容量方式と上記相互容量方式との切り替えを制御する処理を行ってもよい。
【００１５】
また、上記目的を達成するために、本発明の第２の観点によれば、離隔して配置される複数の電極を有するスイッチ部と、自己容量方式による複数の上記電極それぞれに対応する自己容量値の検出、および相互容量方式による複数の上記電極のうちの隣り合う一対の電極それぞれに対応する相互容量値の検出を行う検出部とを備える入力装置における上記スイッチ部に対するユーザの操作を、判定する処理装置であって、検出された上記自己容量値と上記相互容量値とに基づいて、上記スイッチ部に対するユーザの操作を判定する処理を行う処理部を備える、処理装置が提供される。
【００１６】
かかる構成によって、入力装置において検出された自己容量値と相互容量値とのそれぞれに基づいて、当該入力装置のスイッチ部に対するユーザの操作を判定することが可能となる。よって、かかる構成によって、入力装置が有する電極の数よりも多くの静電容量スイッチに対するユーザの操作を判定することができる。
【００１７】
また、上記目的を達成するために、本発明の第３の観点によれば、離隔して配置される複数の電極を有するスイッチ部を備える入力装置におけるユーザの操作を、判定する操作判定方法であって、自己容量方式により複数の上記電極それぞれに対応する自己容量値を検出し、相互容量方式により複数の上記電極のうちの隣り合う一対の電極それぞれに対応する相互容量値を検出するステップと、検出された上記自己容量値と上記相互容量値とに基づいて、上記スイッチ部に対するユーザの操作を判定する処理を行うステップと、を有する、操作判定方法が提供される。
【００１８】
かかる方法が用いられることによって、入力装置において検出された自己容量値と相互容量値とのそれぞれに基づいて、入力装置に対するユーザの操作を判定することが可能となる。よって、かかる構成によって、入力装置が有する電極の数よりも多くの静電容量スイッチに対するユーザの操作を判定することができる。
【発明の効果】
【００１９】
本発明によれば、入力装置が有する電極の数よりも多くの静電容量スイッチに対するユーザの操作を判定することができる。
【図面の簡単な説明】
【００２０】
【図１】本発明の実施形態に係る操作判定方法の概要を説明するための説明図である。
【図２】入力装置に設けられている電極の数よりも静電容量スイッチの数を多くするための一の方法を説明するための説明図である。
【図３】入力装置に設けられている電極の数よりも静電容量スイッチの数を多くするための一の方法を説明するための説明図である。
【図４】本発明の実施形態に係る操作判定方法を説明するための説明図である。
【図５】本発明の実施形態に係る操作判定方法を説明するための説明図である。
【図６】本発明の実施形態に係る入力装置の構成の一例を示すブロック図である。
【発明を実施するための形態】
【００２１】
以下、添付図面を参照しながら、本発明の好適な実施の形態について詳細に説明する。なお、本明細書および図面において、実質的に同一の機能構成を有する構成要素については、同一の符号を付することにより重複説明を省略する。
【００２２】
また、以下では、タッチパネルなどの静電容量方式を用いてユーザの操作を検出することが可能な入力装置を、単に「入力装置」と示す。
【００２３】
また、以下では、例えば、“ユーザが指などの操作体を用いて入力装置に触れる操作”や“ユーザが指などの操作体を入力装置に近接させる操作”などの、入力装置に対して行われるユーザの操作を、「タッチ操作」または「タッチ」と示す場合がある。
【００２４】
また、以下において、“一の構成要素と、他の構成要素とを、接続する”とは、“当該一の構成要素と当該他の構成要素とが、さらなる他の構成要素を介さずに、電気的に接続されていること”、または、“当該一の構成要素と当該他の構成要素とが、さらなる他の構成要素を介して、電気的に接続されていること”をいう。
【００２５】
（本発明の実施形態に係る操作判定方法）
まず、本発明の実施形態に係る操作判定方法について説明する。以下では、本発明の実施形態に係る操作判定方法に係る処理を、本発明の実施形態に係る入力装置が行う場合を例に挙げる。
【００２６】
図１は、本発明の実施形態に係る操作判定方法の概要を説明するための説明図である。図１では、静電容量方式を用いてユーザの操作を検出することが可能な入力装置の構成の一部を示している。
【００２７】
図１に示すように、入力装置では、例えば樹脂などで構成されるパネルに複数の電極が設けられる。図１では、５つの電極Ｅ１、Ｅ２、…、Ｅ５が、入力装置に設けられている例を示している。
【００２８】
図１のＡは、入力装置が自己容量方式によってユーザの操作を検出する構成である場合における静電容量スイッチの検出位置の一例を示している。また、図１のＢは、入力装置において所望される静電容量スイッチの検出位置の例を示している。
【００２９】
ここで、本発明の実施形態に係る静電容量スイッチの検出位置とは、入力装置において設けられる静電容量スイッチの位置に該当する。
【００３０】
例えば入力装置が自己容量方式によってユーザの操作を検出する構成である場合には、図１のＡに示すように、電極の数と同数の静電容量スイッチが設けられる。
【００３１】
なお、相互容量方式が用いられる入力装置では、送信電極と受信電極という一対の電極間で発生された電界の変化によってタッチ操作が検出される構成となる。そのため、図１に示す５つの電極を有する入力装置において、相互容量方式が用いられる場合には、静電容量スイッチの検出位置の数は、一対の電極の組の数である４つとなる。つまり、相互容量方式が用いられる入力装置では、静電容量スイッチの数は、電極の数よりも少なくなる。よって、静電容量スイッチとして機能するタッチパネルなどの入力装置では、自己容量方式が多く用いられる。
【００３２】
ここで、自己容量方式とは、ユーザがタッチ操作を行うことによる静電容量の増加（非タッチ操作時における静電容量からタッチ操作時における静電容量への静電容量の増加）を検出することによって、電極に対するユーザの指などの操作体の接近を検出して、ユーザのタッチ操作を検出する方式である。
【００３３】
また、相互容量方式とは、送信電極と受信電極という一対の電極間で発生された電界の変化によってタッチ操作を検出する方式である。一対の電極の組に対してユーザの指などの操作体が接近した場合には、当該一対の電極間で発生された電界は減少する。つまり、相互容量方式とは、ユーザがタッチ操作を行うことによる電界の減少に伴う電荷の減少を検出することによって一対の電極に対するユーザの指などの操作体の接近を検出して、ユーザのタッチ操作を検出する方式である。
【００３４】
図１のＡに示すように、自己容量方式を単に用いたとしても、図１のＢに示すように電極の数よりも静電容量スイッチの数を多くすることは、できない。また、上記のように、相互容量方式を単に用いる場合には静電容量スイッチの数が電極の数よりも少なくなるので、相互容量方式を単に用いたとしても、図１のＢに示すように電極の数よりも静電容量スイッチの数を多くすることは、できない。
【００３５】
よって、自己容量方式または相互容量方式を単に用いたとしても、図１のＢに示すように電極の数よりも静電容量スイッチの数を多くすること、すなわち、入力装置に設けられている電極の数を変えずに静電容量スイッチの数を増やすことを実現することは、できない。
【００３６】
［Ｉ］入力装置に設けられている電極の数よりも静電容量スイッチの数を多くするための一の方法
入力装置に設けられている電極の数よりも静電容量スイッチの数を多くするための一の方法（以下、「一の方法」と示す場合がある。）としては、例えば、“電極それぞれについて検出された電極それぞれに対応する自己容量値の分布に基づいて、ユーザの操作が行われた静電容量スイッチを判定する方法”が考えられる。上記一の方法は、例えば、電極それぞれに対応する自己容量値の分布に基づいてユーザのタッチ操作が行われた位置を求め、ユーザの操作が行われた静電容量スイッチを判定する方法である。ユーザのタッチ操作が行われた位置は、例えば座標値で表される。
【００３７】
図２は、入力装置に設けられている電極の数よりも静電容量スイッチの数を多くするための一の方法を説明するための説明図である。
【００３８】
図２のＡは、図１と同様に、樹脂などで構成されるパネルに、離隔して配置される５つの電極Ｅ１、Ｅ２、…、Ｅ５が設けられている入力装置の構成の一例を示している。
【００３９】
また、図２のＢは、ユーザがパネルにおける電極Ｅ３上の領域に対してタッチ操作を行った場合（図２のＢに示す“Ｅ３をタッチ”に対応）と、ユーザがパネルにおける電極Ｅ３および電極Ｅ４の間の領域に対してタッチ操作を行った場合（図２のＢに示す“Ｅ３とＥ４の間をタッチ”に対応）とにおけるシミュレーション結果を示している。ここで、図２のＢに示すシミュレーションの条件は、下記の通りである。
・電極：大きさ  １３［ｍｍ］×６［ｍｍ］，電極間の間隔  ３［ｍｍ］
・パネル：素材  ポリカーボネート，厚さ  ３［ｍｍ］
・操作体：直径１０［ｍｍ］の導体棒
【００４０】
図２のＡに示す入力装置において、離隔して配置される５つの電極で９つの静電容量スイッチを実現する場合（各電極に対応する５つの静電容量スイッチ、および各電極間に対応する４つの静電容量スイッチを実現する場合）を想定する。
【００４１】
上記一の方法が用いられる入力装置は、例えば、電極それぞれに対応する自己容量値の分布の重心位置を求め、重心位置からユーザのタッチ操作が行われた静電容量スイッチを特定することによって、ユーザのタッチ操作が行われた静電容量スイッチを判定する。
【００４２】
例えば、ユーザがパネルにおける電極Ｅ３上の領域に対してタッチ操作を行った場合（図２のＢに示す“Ｅ３をタッチ”に対応）には、図２のＢの電極Ｅ３に対応する位置が重心位置として求められる。よって、ユーザがパネルにおける電極Ｅ３上の領域に対してタッチ操作を行った場合には、上記一の方法が用いられる入力装置は、電極Ｅ３に対応する静電容量スイッチに対してユーザのタッチ操作が行われたと判定する。
【００４３】
また、例えば、ユーザがパネルにおける電極Ｅ３および電極Ｅ４の間の領域に対してタッチ操作を行った場合（図２のＢに示す“Ｅ３とＥ４の間をタッチ”に対応）には、図２のＢの電極Ｅ３と電極Ｅ４との中間の位置が重心位置として求められる。よって、ユーザがパネルにおける電極Ｅ３および電極Ｅ４の間の領域に対してタッチ操作を行った場合には、上記一の方法が用いられる入力装置は、電極Ｅ３および電極Ｅ４の電極間に対応する静電容量スイッチに対してユーザのタッチ操作が行われたと判定する。
【００４４】
図２に示すように、上記一の方法が用いられることによって、入力装置に設けられている電極の数を変えずに静電容量スイッチの数を増やすことが実現されうる。
【００４５】
しかしながら、上記一の方法が用いる場合には、ユーザが電極に対応する静電容量スイッチに対してタッチ操作を行ったのか、または、電極間に対応する静電容量スイッチに対してタッチ操作を行ったのかを判定することが困難となる場合がありうる。
【００４６】
図３は、入力装置に設けられている電極の数よりも静電容量スイッチの数を多くするための一の方法を説明するための説明図である。
【００４７】
図３のＡは、図２のＡに示す入力装置の一部、すなわち、図２のＡに示す入力装置の電極Ｅ３と電極Ｅ４が設けられる部分を示している。また、図３のＢは、ユーザがパネルにおける電極Ｅ３の境界付近の領域に対してタッチ操作を行った場合（図３のＢに示す“Ｅ３の境界付近をタッチ”に対応）におけるシミュレーション結果を示している。なお、図３のＢに示すシミュレーションの条件は、図２のＢに示すシミュレーションの条件と同一である。
【００４８】
例えば、ユーザがパネルにおける電極Ｅ３の境界付近の領域に対してタッチ操作を行った場合（図３のＢに示す“Ｅ３の境界付近をタッチ”に対応）には、電極Ｅ３と電極Ｅ４の間における電極Ｅ３と電極Ｅ４との中間の位置よりも電極Ｅ３に近い位置が、重心位置として求められる。
【００４９】
上記のように重心位置が求められた場合には、ユーザが電極Ｅ３に対応する静電容量スイッチに対してタッチ操作を行ったのか、または、電極Ｅ３および電極Ｅ４の電極間に対応する静電容量スイッチに対してタッチ操作を行ったのかを判別する必要がある。そのため、例えば上記の判別を行うための判別式が必要となる。
【００５０】
ここで、上記判別式は、例えば入力装置に設けられる電極の形状や配置によって変わりうるので、入力装置ごとに導出する必要がある。よって、上記一の方法が用いられる場合には、入力装置に設けられている電極の数を変えずに静電容量スイッチの数を増やすことを、容易に実現することができるとは限らない。
【００５１】
［ＩＩ］本発明の実施形態に係る操作判定方法
そこで、本発明の実施形態に係る入力装置は、入力装置において検出される容量値を用いた演算によって、入力装置に対するユーザの操作を判定する。本発明の実施形態に係る入力装置は、自己容量方式により検出される自己容量値と、相互容量方式により検出される相互容量値とを用いた演算によって、入力装置に対するユーザの操作を判定する。
【００５２】
以下では、本発明の実施形態に係る入力装置において、離隔して配置される複数の電極によって、各電極にそれぞれ対応する静電容量スイッチと、各電極間にそれぞれ対応する静電容量スイッチとが、実現される場合を例に挙げる。具体的には、以下では、上記一の方法の説明において例示したように、本発明の実施形態に係る入力装置において、離隔して配置される５つの電極により９つの静電容量スイッチが実現される場合（各電極に対応する５つの静電容量スイッチ、および各電極間に対応する４つの静電容量スイッチが実現される場合）を例に挙げる。
【００５３】
なお、本発明の実施形態に係る入力装置が有する電極の数は、５つに限られず、本発明の実施形態に係る入力装置は、離隔して配置される複数の電極を有する構成をとることが可能である。
【００５４】
本発明の実施形態に係る入力装置では、複数の電極が直線上に配置される構成や、複数の電極がマトリクス状に配置される構成など、複数の電極が様々な形態で配置される構成をとることが可能である。以下では、本発明の実施形態に係る入力装置において、複数の電極が直線上に配置される場合を主に例に挙げる。
【００５５】
より具体的には、本発明の実施形態に係る操作判定方法は、例えば下記の（１）検出ステップと、（２）操作判定ステップとを有する。
【００５６】
（１）検出ステップ
本発明の実施形態に係る入力装置は、自己容量方式により複数の電極それぞれに対応する自己容量値を検出し、また、相互容量方式により複数の電極のうちの隣り合う一対の電極それぞれに対応する相互容量値を検出する。
【００５７】
図４は、本発明の実施形態に係る操作判定方法を説明するための説明図である。図４のＡは、自己容量方式による自己容量値の検出の概要を示しており、図４のＢは、相互容量方式による相互容量値の検出の概要を示している。
【００５８】
上述したように、自己容量方式では、ユーザがタッチ操作を行うことによる静電容量の増加を検出することによって、自己容量値が検出される。また、相互容量方式では、一対の電極間で発生された電界の減少に伴う電荷の減少を検出することによって、相互容量値が検出される。
【００５９】
本発明の実施形態に係る入力装置では、検出する対象の自己容量値に対応する電極を駆動させることによって、自己容量値が検出される。ｋ番目（ｋは、正の整数。）の電極の自己容量値をＣｋ，ｋとおく。ここで、“ｋ”は、電極に付される番号である。電極に付される番号は、例えば、入力装置のパネルの所定の電極に対して１が付され、当該所定の電極の番号を基準として、隣り合う電極に対して昇順に番号が付される。
【００６０】
また、本発明の実施形態に係る入力装置では、一対の電極の一方に電圧信号を印加して一対の電極間に電界を発生させて一対の電極を駆動させることによって、相互容量値が検出される。ｋ番目の電極と、ｋ番目の電極に隣り合うｋ＋１番目の電極との相互容量値をＣｋ，ｋ＋１とおく。
【００６１】
本発明の実施形態に係る入力装置では、自己容量方式と相互容量方式とが切り替えられることによって、自己容量値と相互容量値とがそれぞれ検出される。自己容量方式と相互容量方式とを切り替えることが可能な、本発明の実施形態に係る入力装置の構成の一例については、後述する。
【００６２】
（２）操作判定ステップ
本発明の実施形態に係る入力装置は、検出された自己容量値Ｃｋ，ｋと相互容量値Ｃｋ，ｋ＋１とに基づいて、入力装置に対するユーザの操作を判定する。
【００６３】
本発明の実施形態に係る入力装置は、例えば下記の（２−１）の処理〜（２−３）の処理を行うことによって、静電容量スイッチに対するユーザの操作を判定する。
【００６４】
ここで、本発明の実施形態に係る入力装置における静電容量スイッチしては、自己容量値Ｃｋ，ｋに対応する静電容量スイッチと、相互容量値Ｃｋ，ｋ＋１に対応する静電容量スイッチとが挙げられる。自己容量値Ｃｋ，ｋは、電極に対応する容量値であるので、自己容量値Ｃｋ，ｋに対応する静電容量スイッチは、電極に対応する静電容量スイッチに該当する。また、相互容量値Ｃｋ，ｋ＋１は、電極間に対応する容量値であるので、相互容量値Ｃｋ，ｋ＋１に対応する静電容量スイッチは、電極間に対応する静電容量スイッチに該当する。以下では、自己容量値Ｃｋ，ｋに対応する静電容量スイッチを「第１の静電容量スイッチ」と示し、相互容量値Ｃｋ，ｋ＋１に対応する静電容量スイッチを「第２の静電容量スイッチ」と示す場合がある。
【００６５】
なお、本発明の実施形態に係る入力装置は、下記の（２−１）の処理と下記の（２−２）の処理とを、独立に行うことが可能である。よって、本発明の実施形態に係る入力装置は、下記の（２−１）の処理と下記の（２−２）の処理との一方の処理を行った後に他方の処理を行ってもよいし、双方の処理を並列に行ってもよい。
【００６６】
（２−１）自己容量値Ｃｋ，ｋに対応する第１の静電容量スイッチの容量値（電極に対応する静電容量スイッチの容量値）の取得
本発明の実施形態に係る入力装置は、検出された自己容量値Ｃｋ，ｋに基づいて、第１の静電容量スイッチの容量値を求める。
【００６７】
ここで、自己容量値Ｃｋ，ｋは電極に対応する容量値であるので、第１の静電容量スイッチの容量値は、電極に対応する静電容量スイッチの容量値に該当する。本発明の実施形態に係る入力装置は、電極に対応する静電容量スイッチに対するユーザの操作を判定するために、第１の静電容量スイッチの容量値を求める。以下では、第１の静電容量スイッチの容量値を、「電極に対応する静電容量スイッチの容量値Ｃｋ」と示す場合がある。
【００６８】
本発明の実施形態に係る入力装置は、例えば下記の数式１により、電極に対応する静電容量スイッチの容量値Ｃｋを求める。
【００６９】
Ｃｋ＝Ｃｋ，ｋ
・・・（数式１）
【００７０】
（２−２）相互容量値Ｃｋ，ｋ＋１に対応する第２の静電容量スイッチの容量値（電極間に対応する静電容量スイッチの容量値）の取得
本発明の実施形態に係る入力装置は、検出された相互容量値Ｃｋ，ｋ＋１に基づいて、第２の静電容量スイッチの容量値を求める。
【００７１】
ここで、相互容量値Ｃｋ，ｋ＋１は電極間に対応する容量値であるので、第２の静電容量スイッチの容量値は、電極間に対応する静電容量スイッチの容量値に該当する。本発明の実施形態に係る入力装置は、電極間に対応する静電容量スイッチに対するユーザの操作を判定するために、第２の静電容量スイッチの容量値を求める。以下では、第２の静電容量スイッチの容量値を、「電極間に対応する静電容量スイッチの容量値Ｃｋ，０．５」と示す場合がある。
【００７２】
本発明の実施形態に係る入力装置は、例えば下記の数式２により、電極間に対応する静電容量スイッチの容量値Ｃｋ，０．５を求める。
【００７３】
Ｃｋ，０．５＝Ｖ×Ｃｋ，ｋ＋１
・・・（数式２）
【００７４】
ここで、上記数式２に示す“Ｖ”は、自己容量値Ｃｋ，ｋと相互容量値Ｃｋ，ｋ＋１との感度比に対応する定数である。“Ｖ”は、電極に対応する静電容量スイッチの容量値Ｃｋと静電容量スイッチの容量値Ｃｋ，０．５とが似たような値をとるように調整する役目を果たす。“Ｖ”は、例えば、電極間の間隔などの入力装置の構成ごとに実験的に求められ、本発明の実施形態に係る入力装置が有する電極間の間隔などに応じて予め設定される。
【００７５】
（２−３）ユーザの操作の判定
本発明の実施形態に係る入力装置は、上記（２−１）において求められた電極に対応する静電容量スイッチの容量値Ｃｋ（第１の静電容量スイッチの容量値）と、上記（２−２）において求められた電極間に対応する静電容量スイッチの容量値Ｃｋ，０．５（第２の静電容量スイッチの容量値）とのそれぞれに基づいて、ユーザの操作が行われた静電容量スイッチを判定する。
【００７６】
本発明の実施形態に係る入力装置は、例えば、電極に対応する静電容量スイッチの容量値Ｃｋ、および電極間に対応する静電容量スイッチの容量値Ｃｋ，０．５それぞれと、設定されている所定の閾値とを比較することによって、ユーザの操作が行われた静電容量スイッチを判定する。
【００７７】
ここで、本発明の実施形態に係る所定の閾値は、例えば、予め設定されている固定値であってもよいし、ユーザの設定操作などに基づき変更可能な可変値であってもよい。
【００７８】
具体的には、本発明の実施形態に係る入力装置は、例えば、“閾値よりも大きい電極に対応する静電容量スイッチの容量値Ｃｋ”に対応する静電容量スイッチを、ユーザの操作が行われた静電容量スイッチとして判定する。また、本発明の実施形態に係る入力装置は、例えば、“閾値以上である電極に対応する静電容量スイッチの容量値Ｃｋ”に対応する静電容量スイッチを、ユーザの操作が行われた静電容量スイッチとして判定してもよい。
【００７９】
また、本発明の実施形態に係る入力装置は、例えば、“閾値よりも大きい電極間に対応する静電容量スイッチの容量値Ｃｋ，０．５”に対応する静電容量スイッチを、ユーザの操作が行われた静電容量スイッチとして判定する。また、本発明の実施形態に係る入力装置は、例えば、“閾値以上である電極間に対応する静電容量スイッチの容量値Ｃｋ，０．５”に対応する静電容量スイッチを、ユーザの操作が行われた静電容量スイッチとして判定してもよい。
【００８０】
本発明の実施形態に係る入力装置は、例えば上記のような所定の閾値を用いた閾値処理によって、ユーザの操作が行われた静電容量スイッチを判定する。
【００８１】
例えば上記のような所定の閾値を用いた閾値処理が行われることによって、第１の静電容量スイッチである電極に対応する静電容量スイッチと、第２の静電容量スイッチである電極間に対応する静電容量スイッチとの一方または双方が、ユーザの操作が行われた静電容量スイッチとして判定される。
【００８２】
図５は、本発明の実施形態に係る操作判定方法を説明するための説明図である。
【００８３】
図５のＡは、図１と同様に樹脂などで構成されるパネルに離隔して配置される５つの電極Ｅ１、Ｅ２、…、Ｅ５が設けられている、本発明の実施形態に係る入力装置の構成の一例を示している。
【００８４】
また、図５のＢは、ユーザがパネルにおける電極Ｅ３上の領域に対してタッチ操作を行った場合（図５のＢに示す“Ｅ３をタッチ”に対応）と、ユーザがパネルにおける電極Ｅ３および電極Ｅ４の間の領域に対してタッチ操作を行った場合（図５のＢに示す“Ｅ３とＥ４の間をタッチ”に対応）と、ユーザがパネルにおける電極Ｅ３の境界付近の領域に対してタッチ操作を行った場合（図５のＢに示す“Ｅ３の境界付近をタッチ”に対応）とにおける、シミュレーション結果を示している。
【００８５】
ここで、図５のＢに示すシミュレーションの条件は、図２のＢに示すシミュレーションの条件、および図３のＢに示すシミュレーションの条件と同一である。また、図５のＢに示すシミュレーションでは、“Ｖ”の値をＶ＝２．７としている。
【００８６】
図５のＢに示すように、本発明の実施形態に係る操作判定方法が用いられる場合には、シミュレーションを行った３通りのユーザの操作の全てにおいて、ピーク値が表れている。よって、本発明の実施形態に係る操作判定方法が用いられる場合には、例えば０．４［ｐＦ］などの所定の閾値を用いた閾値処理を行うことによって、シミュレーションを行った３通りのユーザの操作それぞれにおいて、ユーザの操作が行われた静電容量スイッチを一意に判定することが可能である。
【００８７】
例えば、本発明の実施形態に係る入力装置は、本発明の実施形態に係る操作判定方法を用いることによって、上記一の方法が用いられる場合において判定が困難となる可能性があった、ユーザがパネルにおける電極Ｅ３の境界付近の領域に対してタッチ操作を行ったときにおいても、電極Ｅ３および電極Ｅ４の電極間に対応する静電容量スイッチに対してタッチ操作が行われたと判定することができる。
【００８８】
また、例えば図５のＣに示すように、本発明の実施形態に係る入力装置は、本発明の実施形態に係る操作判定方法を用いることによって、各電極に対応する５つの第１の静電容量スイッチと、各電極間に対応する４つの第２の静電容量スイッチという、９つの静電容量スイッチに対するユーザの操作を判定することが可能である。
【００８９】
したがって、本発明の実施形態に係る入力装置は、本発明の実施形態に係る操作判定方法を用いることによって、入力装置が有する電極の数よりも多くの静電容量スイッチに対するユーザの操作を判定することができる。
【００９０】
また、本発明の実施形態に係る操作判定方法では、入力装置において検出された自己容量値と相互容量値とのそれぞれに基づく容量値に関する処理によって、ユーザの操作が行われた静電容量スイッチを判定する。ここで、操作判定方法に係る容量値に関する処理は、例えば、上記数式１の演算、上記数式２の演算、および所定の閾値を用いた閾値処理であるので、処理に係る負荷は高くない。
【００９１】
したがって、本発明の実施形態に係る入力装置は、本発明の実施形態に係る操作判定方法を用いることによって、容量値を用いたより簡単な演算によって、電極数よりも多くの静電容量スイッチを実現することができる。
【００９２】
（本発明の実施形態に係る操作判定方法を適用することが可能な装置）
次に、本発明の実施形態に係る操作判定方法を適用することが可能な装置について説明する。
【００９３】
［１］本発明の実施形態に係る入力装置
図６は、本発明の実施形態に係る入力装置１００の構成の一例を示すブロック図である。
【００９４】
入力装置１００は、例えば、スイッチ部１０２と、検出部１０４と、処理部１０６とを備える。
【００９５】
また、入力装置１００は、例えば、制御部（図示せず）や、ＲＯＭ（Read  Only  Memory。図示せず）、ＲＡＭ（Random  Access  Memory。図示せず）、記憶部（図示せず）などを備えていてもよい。入力装置１００は、例えば、データの伝送路としてのバスにより上記各構成要素間を接続する。
【００９６】
制御部（図示せず）は、ＣＰＵ（Central  Processing  Unit）などの演算回路で構成される、１または２以上のプロセッサや、各種処理回路などで構成され、入力装置１００全体を制御する。また、制御部（図示せず）は、入力装置１００において、例えば処理部１０６の役目を果たしてもよい。なお、処理部１０６は、処理部１０６における処理を実現可能な、専用の回路または汎用の回路（例えば、制御部（図示せず）とは別体のプロセッサなど）で構成することも可能である。
【００９７】
ＲＯＭ（図示せず）は、制御部（図示せず）や処理部１０６が使用する、プログラムや演算パラメータなどのデータを記憶する。ＲＡＭ（図示せず）は、制御部（図示せず）や処理部１０６により実行されるプログラムや、処理データなどを一時的に記憶する。
【００９８】
記憶部（図示せず）は、入力装置１００が備える記憶手段である。記憶部（図示せず）には、例えば、後述する静電容量スイッチの番号と実行する処理とが対応付けられているテーブル（またはデータベース）などの様々なデータが記憶される。
【００９９】
ここで、記憶部（図示せず）としては、例えば、ハードディスク（Hard  Disk）などの磁気記録媒体や、フラッシュメモリ（flash  memory）などの不揮発性メモリ（nonvolatile  memory）などが挙げられる。また、記憶部（図示せず）は、入力装置１００から着脱可能であってもよい。
【０１００】
［１−１］スイッチ部１０２
スイッチ部１０２は、離隔して配置される複数の電極を有する。図６では、スイッチ部１０２を構成する複数の電極のうち、電極Ｅｎと、電極Ｅｎと隣り合う電極Ｅｎ＋１との２つの電極を示している。ここで、電極Ｅｎと電極Ｅｎ＋１とは、複数の電極のうちの隣り合う一対の電極に該当する。
【０１０１】
また、スイッチ部１０２において複数の電極は、例えば図１に示すように、樹脂などで構成されるパネルに設けられる。パネルに設けられる複数の電極は、例えば、直線上、マトリクス状など、様々な形態で配置される。つまり、スイッチ部１０２における隣り合う一対の電極としては、例えば、水平方向、垂直方向、ななめ方向など、任意の方向において離隔して隣り合う電極の組が挙げられる。
【０１０２】
［１−２］検出部１０４
検出部１０４は、本発明の実施形態に係る操作判定方法における上記（１）のステップ（検出ステップ）を行う役目を果たす。検出部１０４は、自己容量方式と相互容量方式とを切り替えて、自己容量値と相互容量値とをそれぞれ検出する。
【０１０３】
検出部１０４は、例えば、電圧源Ｐと、測定回路Ｍと、スイッチング回路ＳＷ１、ＳＷ２、ＳＷ３、ＳＷ４、…と、接地容量Ｃ１、Ｃ２とを有する。
【０１０４】
電圧源Ｐは、電極を駆動させるための電圧信号を出力する。なお、電圧源Ｐは、入力装置１００の外部の電圧源であってもよい。
【０１０５】
測定回路Ｍは、例えば、容量の充電時間を測定することによって、容量値（自己容量値または相互容量値）を検出する。測定回路Ｍは、例えば、１または２以上のコンパレータなどを用いて容量の充電時間を測定し、測定された充電時間から容量値を求める。
【０１０６】
なお、測定回路Ｍは、上記に示す例に限られない。測定回路Ｍは、容量値を測定することが可能な任意の方法に対応する構成をとることが可能である。
【０１０７】
スイッチング回路ＳＷ１、ＳＷ２、ＳＷ３、ＳＷ４、…は、例えば、スイッチングトランジスタで構成され、印加される信号の信号レベル（電圧レベル）に応じてオン状態（導通状態）またはオフ状態（非導通状態）となる。
【０１０８】
スイッチングトランジスタとしては、例えば、バイポーラトランジスタや、ＴＦＴ（Thin  Film  Transistor）やＭＯＳＦＥＴ（Metal-Oxide-Semiconductor Field  Effect  Transistor）などのＦＥＴ（Field-Effect  Transistor）が挙げられる。
【０１０９】
スイッチング回路ＳＷ１、ＳＷ２、ＳＷ３、ＳＷ４、…それぞれのオン状態、オフ状態の切り替えは、例えば、処理部１０６により行われる。また、スイッチング回路ＳＷ１、ＳＷ２、ＳＷ３、ＳＷ４、…それぞれのオン状態、オフ状態の切り替えは、入力装置１００と接続されている外部のコントローラなどにより行われてもよい。
【０１１０】
なお、スイッチング回路ＳＷ１、ＳＷ２、ＳＷ３、ＳＷ４、…は、スイッチングトランジスタに限られず、オン状態とオフ状態とを切り替えることが可能な任意の素子（または回路）であってもよい。
【０１１１】
電極Ｅｎ、電極Ｅｎ＋１それぞれの自己容量値と、電極Ｅｎおよび電極Ｅｎ＋１の電極間の相互容量値との検出を例に挙げると、検出部１０４では、例えば下記の（ａ）〜（ｃ）に示すようにスイッチング回路ＳＷ１、ＳＷ２、ＳＷ３、ＳＷ４それぞれのオン状態、オフ状態が切り替えられることによって、測定回路Ｍにおいて自己容量値と相互容量値とがそれぞれ検出される。また、スイッチング回路ＳＷ４は、容量値の測定の初期化を行うためのスイッチング回路であり、スイッチング回路ＳＷ４がオン状態となることにより容量値の測定の初期化が行われる。
【０１１２】
（ａ）電極Ｅｎの自己容量値を検出する場合（自己容量方式による容量値の検出）
・スイッチＳＷ１、ＳＷ３：オン状態
・スイッチＳＷ２、ＳＷ４：オフ状態
【０１１３】
（ｂ）電極Ｅｎ＋１の自己容量値を検出する場合（自己容量方式による容量値の検出）
・スイッチＳＷ２、ＳＷ３：オン状態
・スイッチＳＷ１、ＳＷ４：オフ状態
【０１１４】
（ｃ）電極Ｅｎおよび電極Ｅｎ＋１の電極間の相互容量値を検出する場合（相互容量方式による容量値の検出）
・スイッチＳＷ１、ＳＷ２：オン状態
・スイッチＳＷ３、ＳＷ４：オフ状態
【０１１５】
接地容量Ｃ１は、電極Ｅｎとスイッチング回路ＳＷ１との間に接続される。また、接地容量Ｃ２は、電極Ｅｎ＋１とスイッチング回路ＳＷ２との間に接続される。接地容量Ｃ１、Ｃ２それぞれは、寄生容量であってもよいし、キャパシタなどの回路素子であってもよい。
【０１１６】
検出部１０４は、例えば図６に示す構成によって、自己容量方式と相互容量方式とを切り替えて、自己容量値と相互容量値とをそれぞれ検出する。
【０１１７】
なお、検出部１０４の構成は、図６に示す例に限られない。
【０１１８】
例えば、検出部１０４は、測定回路Ｍを複数有する構成であってもよい。
【０１１９】
また、検出部１０４は、例えば、本願出願人が出願した特開２０１５−４６３６３号公報に記載の技術に係る構成など、自己容量方式による自己容量値の検出と相互容量方式による相互容量値の検出とをそれぞれ行うことが可能な、任意の構成をとることが可能である。
【０１２０】
［１−３］処理部１０６
処理部１０６は、検出部１０４と接続され、本発明の実施形態に係る操作判定方法における上記（２）のステップ（操作判定ステップ）を行う役目を果たす。処理部１０６は、検出された自己容量値と相互容量値とに基づいて、スイッチ部１０２に対するユーザの操作を判定する処理を行う。
【０１２１】
処理部１０６としては、例えば、ＣＰＵなどのプロセッサや、マイクロコントローラなどが挙げられる。
【０１２２】
処理部１０６は、検出部１０４において検出された自己容量値と相互容量値とのそれぞれに基づいて、ユーザの操作が行われた静電容量スイッチを判定する。
【０１２３】
具体的には、処理部１０６は、上述したように、検出された自己容量値に対応する第１の静電容量スイッチの容量値と、検出された相互容量値に対応する第２の静電容量スイッチの容量値とを求める。そして、処理部１０６は、第１の静電容量スイッチの容量値および第２の静電容量スイッチの容量値それぞれと、所定の閾値とに基づく閾値処理を行うことによって、ユーザの操作が行われた静電容量スイッチを判定する。
【０１２４】
よって、処理部１０６は、入力装置１００のスイッチ部１０２が有する電極の数よりも多くの静電容量スイッチに対するユーザの操作を判定することができる。
【０１２５】
なお、本発明の実施形態に係る処理部１０６における処理は、上記（２）のステップ（操作判定ステップ）に係る処理に限られない。
【０１２６】
例えば、処理部１０６は、下記に示す（ｉ）実行処理と（ｉｉ）切り替え制御処理との一方または双方を、さらに行うことも可能である。
【０１２７】
（ｉ）実行処理
処理部１０６は、例えば、スイッチ部１０２に対するユーザの操作の判定結果に応じた処理を行う。処理部１０６は、ユーザの操作が行われたと判定された静電容量スイッチに対応付けられている処理を、ユーザの操作の判定結果に応じた処理として行う。
【０１２８】
処理部１０６は、例えば、記憶部（図示せず）や接続されている外部の記録媒体などに記憶されている、静電容量スイッチの番号と実行する処理とが対応付けられているテーブル（またはデータベース）を参照することによって、ユーザの操作が行われたと判定された静電容量スイッチに対応付けられている処理を特定する。上記テーブルにおいて対応付けられている静電容量スイッチの番号と実行する処理との組み合わせは、例えば、入力装置１００の製造時などにおいて予め設定される。また、上記テーブルにおいて対応付けられている静電容量スイッチの番号と実行する処理との組み合わせは、例えば、入力装置１００の外部装置との通信などによって、更新することが可能であってもよい。
【０１２９】
そして、処理部１０６は、特定された処理を実行する。
【０１３０】
また、処理部１０６は、特定された処理を行わせるための制御命令を含む制御信号を外部のコントローラなどに送信させることによって、特定された処理を外部のコントローラなどに行わせてもよい。上記制御信号は、例えば、入力装置１００が備える通信デバイス（図示せず）や入力装置１００に接続されている外部の通信デバイスにより、任意の有線通信または無線通信によって送信される。
【０１３１】
（ｉｉ）切り替え制御処理
処理部１０６は、検出部１０４における自己容量方式と相互容量方式との切り替えを制御する処理を行う。
【０１３２】
処理部１０６は、例えば、スイッチング回路ＳＷ１、ＳＷ２、ＳＷ３、ＳＷ４、…それぞれに対して、オン状態とオフ状態とを制御する信号を伝達することによって、検出部１０４における自己容量方式と相互容量方式との切り替えを制御する。一例を挙げると、処理部１０６は、上記（ａ）〜（ｃ）に示すように、スイッチング回路ＳＷ１、ＳＷ２、ＳＷ３、ＳＷ４それぞれのオン状態、オフ状態を切り替えることによって、自己容量方式による電極Ｅｎ、電極Ｅｎ＋１それぞれの容量値の検出と、相互容量方式による電極Ｅｎおよび電極Ｅｎ＋１の電極間の容量値の検出とを制御する。
【０１３３】
入力装置１００は、例えば図６に示す構成によって、本発明の実施形態に係る操作判定方法を用いて、スイッチ部１０２に対するユーザの操作を判定する。したがって、入力装置１００は、例えば図６に示す構成によって、入力装置１００が有する電極の数よりも多くの静電容量スイッチに対するユーザの操作を判定することができる。
【０１３４】
なお、本発明の実施形態に係る入力装置の構成は、図６に示す構成に限られない。例えば、本発明の実施形態に係る入力装置における検出部１０４は、上述したように、自己容量方式による自己容量値の検出と相互容量方式による相互容量値とをそれぞれ検出することが可能な任意の構成を有していてもよい。
【０１３５】
［２］本発明の実施形態に係る処理装置
本発明の実施形態に係る操作判定方法を適用することが可能な装置は、図６に示すような入力装置に限られない。例えば、本発明の実施形態に係る操作判定方法は、図６に示す処理部１０６と同様の機能を有する処理装置に適用することも可能である。
【０１３６】
本発明の実施形態に係る処理装置は、例えば、図６に示すスイッチ部１０２および検出部１０４と同様の機能を有する入力装置から、当該入力装置における容量値の検出結果を示すデータを、備えている通信デバイスまたは接続されている外部の通信デバイスを介した任意の有線通信または無線通信によって、取得する。
【０１３７】
ここで、本発明の実施形態に係る容量値の検出結果を示すデータとしては、例えば、電極の番号および自己容量値と、一対の電極の番号および相互容量値とをそれぞれ示すデータが挙げられる。また、本発明の実施形態に係る容量値の検出結果を示すデータには、入力装置における電極の配置を示すデータが含まれていてもよい。
【０１３８】
本発明の実施形態に係る処理装置は、取得された容量値の検出結果を示すデータに基づいて、図６に示す処理部１０６と同様に、本発明の実施形態に係る操作判定方法における上記（２）のステップ（操作判定ステップ）に係る処理を行う。
【０１３９】
よって、本発明の実施形態に係る処理装置は、取得された容量値の検出結果を示すデータに対応する入力装置のスイッチ部が有する電極の数よりも多くの静電容量スイッチに対するユーザの操作を、判定することができる。
【０１４０】
また、本発明の実施形態に係る処理装置は、図６に示す処理部１０６と同様に、上記（ｉ）に示す処理（実行処理）と上記（ｉｉ）に示す処理（切り替え制御処理）との一方または双方を、さらに行ってもよい。
【０１４１】
例えば、本発明の実施形態に係る処理装置と、図６に示すスイッチ部１０２および検出部１０４と同様の機能を有する入力装置とによって、図６に示す入力装置１００（変形例に係る入力装置も含む。）と同様の機能を有するシステムが、実現される。
【０１４２】
以上、本発明の実施形態として、入力装置を挙げて説明したが、本発明の実施形態は、上記に限られない。本発明の実施形態は、例えば、車などの車両（または、車両システムを構成するＵＩ（User  Interface）部分など車両システムの一部）や、携帯電話やスマートフォンなどの通信装置、タブレット型の装置、テレビ受像機、ＰＣ（Personal  Computer）などのコンピュータなど、様々なシステムや機器に適用することができる。
【０１４３】
また、本発明の実施形態として、処理装置を挙げて説明したが、本発明の実施形態は、上記に限られない。本発明の実施形態は、例えば、マイクロコントローラなどのＩＣ（Integrated  Circuit）に適用することができる。上記マイクロコントローラなどのＩＣは、例えば、車などの車両や、携帯電話やスマートフォンなどの通信装置、タブレット型の装置、テレビ受像機、ＰＣなどのコンピュータなど、様々なシステムや機器に用いることが可能である。
【０１４４】
（本発明の実施形態に係るプログラム）
コンピュータを、本発明の実施形態に係る処理装置として機能させるためのプログラム（例えば、“上記（２）のステップ（操作判定ステップ）に係る処理”を実行することが可能なプログラム）が、コンピュータにおいてプロセッサなどにより実行されることによって、入力装置が有する電極の数よりも多くの静電容量スイッチに対するユーザの操作を判定することができる。
【０１４５】
また、本発明の実施形態に係る処理装置として機能させるためのプログラムは、例えば、上記（２）のステップ（操作判定ステップ）に係る処理に加えて、上記（ｉ）に示す処理（実行処理）と上記（ｉｉ）に示す処理（切り替え制御処理）との一方または双方をさらに実行することが可能なプログラムであってもよい。
【０１４６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【０１４７】
１００    入力装置
１０２    スイッチ部
１０４    検出部
１０６    処理部
【図１】
2017010375.tif 000003
【図２】
2017010375.tif 000004
【図３】
2017010375.tif 000005
【図４】
2017010375.tif 000006
【図５】
2017010375.tif 000007
【図６】
2017010375.tif 000008